(57)【要約】【課題】複数店舗に設置した屋外表示装置、サポートセンター内サーバー、各店舗用の情報端末を通信回線を介して接続し、各情報端末から自店舗の広告情報を自由に編集して屋外表示装置に表示し、店舗側にとって非常に便利で使い易いネットワーク型屋外広告表示システムを提供する。【解決手段】複数の店舗Ａ〜Ｉに設置された屋外表示装置10、サポートセンター内サーバー20、各店舗が管理する情報端末40が通信回線50を介して接続され、サーバー20は、店舗情報データベース21、自店舗枠広告情報データベース22、他店舗枠広告情報データベース23、各屋外表示装置に表示させる広告枠を自店舗広告枠Ｊと他店舗広告枠Ｔに振分ける広告枠振分手段29、自店舗広告枠と他店舗広告枠に、各店舗の広告情報と、広告表示申込を受付けた他店舗の広告情報を割付ける広告情報割付手段30、割付順に従って広告情報を各屋外表示装置に出力表示させる広告情報出力表示手段32を備える。【選択図】図１
2009271453.tif 000002
【特許請求の範囲】
【請求項１】
複数の各店舗に設置された屋外表示装置と、サポートセンター内サーバーと、各店舗が管理する情報端末とがそれぞれ通信回線を介して接続され、サポートセンター内サーバーから各店舗の屋外表示装置に各店舗の広告情報が配信され、表示されるネットワーク型屋外広告表示システムであって、
前記サポートセンター内サーバーは、
屋外表示装置が設置された店舗に関する店舗情報を登録する店舗情報データベースと、
各店舗により作成され、当該店舗の情報端末から送信された広告情報が登録される、広告情報データベースと、
各店舗の屋外表示装置に広告情報を表示させる広告枠を、自店舗広告枠と他店舗広告枠に振り分ける広告枠振分手段と、
広告枠振分手段によって振り分けられた自店舗広告枠および他店舗広告枠に対し、各自店舗広告枠には各自店舗の広告情報を、各他店舗広告枠には広告表示の申込を受付けた他店舗の広告情報を、それぞれ割り付ける広告情報割付手段と、
広告情報割付手段によって各店舗の自店舗広告枠および他店舗広告枠に割り付けられた広告情報を、割付順に従って、各店舗の屋外表示装置に出力表示させる、広告情報出力表示手段と、
を備えることを特徴とする、ネットワーク型屋外広告表示システム。
【請求項２】
前記広告情報は、文字情報および画像情報を含み、各店舗の情報端末から送信される文字情報又は画像情報によって、新規又は更新登録されることを特徴とする、請求項１記載のネットワーク型屋外広告表示システム。
【請求項３】
前記広告情報は、各店舗により自店舗広告枠用に作成され、当該店舗の情報端末から送信される自店舗枠広告情報と、各店舗により他店舗広告枠用に作成され、当該店舗の情報端末から送信される他店舗枠広告情報とから構成されることを特徴とする、請求項１又は請求項２に記載のネットワーク型屋外広告表示システム。
【請求項４】
前記広告情報データベースは、各店舗により自店舗広告枠用に作成され、当該店舗の情報端末から送信された自店舗枠広告情報が登録される、自店舗枠広告情報データベースと、各店舗により他店舗広告枠用に作成され、当該店舗の情報端末から送信された他店舗枠広告情報が登録される、他店舗枠広告情報データベースとから構成されることを特徴とする、請求項１ないし請求項３のいずれか一項に記載のネットワーク型屋外広告表示システム。
【請求項５】
前記広告情報割付手段は、各他店舗広告枠に対し広告表示の申込のあった他店舗の広告情報を、受付順でかつ放映時間の早い空き枠順に割付けることを特徴とする、請求項１ないし請求項４のいずれか一項に記載のネットワーク型屋外広告表示システム。
【請求項６】
他店舗広告枠の空き枠に対し任意の店舗の情報端末からの広告表示申込情報を申込順に受付ける、広告表示申込受付手段を備えることを特徴とする、請求項１ないし請求項５のいずれか一項に記載のネットワーク型屋外広告表示システム。
【請求項７】
他店舗広告枠の空き枠を各店舗毎に検索する空き枠検索手段を備え、当該空き枠検索手段は、任意の店舗の情報端末からの空き枠検索指令情報に基づき、各店舗又は特定の店舗の他店舗広告枠の空き枠を検索し、検索結果を前記情報端末に送信することを特徴とする、請求項１ないし請求項６のいずれか一項に記載のネットワーク型屋外広告表示システム。
【請求項８】
前記広告情報割付手段は、制御部からのリセット指令情報に基づき、一定期間経過後、他店舗広告枠の各枠を全て空き枠としてリセットすることを特徴とする、請求項１ないし請求項７のいずれか一項に記載のネットワーク型屋外広告表示システム。
【発明の詳細な説明】
【技術分野】
【０００１】
本発明は、複数の各店舗に設置された屋外表示装置と、サポートセンター内サーバーと、各店舗が管理する情報端末とがそれぞれ通信回線を介して接続され、サポートセンター内サーバーから各店舗の屋外表示装置に各店舗の広告情報が配信され、表示されるネットワーク型屋外広告表示システムに関する。
【背景技術】
【０００２】
従来より、商店街の各店舗においては、店先に広告用の立て看板を設置したり、建物の壁面に広告用の看板を取り付けている例が多い。商店街を歩きながら、看板を目印に目的とする店舗を探し、あるいは、看板の広告内容をみて、店舗で扱っている商品やサービス内容を理解することができる。最近は、LEDを用いた電光掲示板・大画面ディスプレイを用いて、最新の広告やニュースを流して、より一層の広告サービスを図る例が増えている（例えば、特許文献１、特許文献２参照）。
【０００３】
しかしながら、従来の屋外広告表示システムは、店舗に設置した屋外表示装置に対し、店舗側が自由に自店舗の広告内容を編集し、簡単に表示させるような簡単で便利なシステムとはなっていない。
【０００４】
また、商店街のメインストリートに面する店舗の場合、看板の広告効果が高いと言えるが、メインストリートから一歩中に入った路地の奥にある店舗の場合、店舗の場所が分かりにくく、また、店舗に看板を設置してもその広告効果は前者の店舗に比べると低く、客の流れを自店舗に呼び込むには、メインストリートに自店舗用の看板を設置する等の工夫が必要であり、その費用もばかにならないものであった。
【０００５】
一方、商店街のメインストリートに面する店舗の場合、看板の広告効果が高いが、営業時間中常に自店舗用の広告を表示し続けなければならないという訳ではなく、自店舗内に設置された屋外表示装置に、他店舗の広告を短時間でも表示させることができれば、路地の奥の店舗がわざわざメインストリートに自店舗の看板を新たに設置することなく、メインストリートを歩く客の流れを少しでも、自店舗に呼び込むことが可能となり、商店街全体の活性化を図ることができる。
【特許文献１】特開２００５−１２８４４８号公報
【特許文献２】特開２００７−１２２６７３号公報
【発明の開示】
【発明が解決しようとする課題】
【０００６】
本発明は、前記課題に鑑みてなされたもので、複数の各店舗に設置された屋外表示装置と、サポートセンター内サーバーと、各店舗が管理する情報端末とをそれぞれ通信回線を介して接続し、各情報端末から自店舗の広告情報を自由に編集して、屋外表示装置に表示させることのできる、店舗側にとって非常に使い易く便利なネットワーク型屋外広告表示システムを提供すること、また、各店舗に設置された屋外表示装置に表示する広告情報を自店舗広告枠と他店舗広告枠とに振り分けて、自店舗の広告情報だけでなく、他店舗の広告情報も表示させ、これにより、各店舗に設置された屋外表示装置を有効活用し、ひいては商店街全体の活性化に寄与することのできる、ネットワーク型屋外広告表示システムを提供することを目的とする。
【課題を解決するための手段】
【０００７】
上記課題を解決するために、本発明の請求項１に係るネットワーク型屋外広告表示システムは、
複数の各店舗に設置された屋外表示装置と、サポートセンター内サーバーと、各店舗が管理する情報端末とがそれぞれ通信回線を介して接続され、サポートセンター内サーバーから各店舗の屋外表示装置に各店舗の広告情報が配信され、表示されるネットワーク型屋外広告表示システムであって、
前記サポートセンター内サーバーは、
屋外表示装置が設置された店舗に関する店舗情報を登録する店舗情報データベースと、
各店舗により作成され、当該店舗の情報端末から送信された広告情報が登録される、広告情報データベースと、
各店舗の屋外表示装置に広告情報を表示させる広告枠を、自店舗広告枠と他店舗広告枠に振り分ける広告枠振分手段と、
広告枠振分手段によって振り分けられた自店舗広告枠および他店舗広告枠に対し、各自店舗広告枠には各自店舗の広告情報を、各他店舗広告枠には広告表示の申込を受付けた他店舗の広告情報を、それぞれ割り付ける広告情報割付手段と、
広告情報割付手段によって各店舗の自店舗広告枠および他店舗広告枠に割り付けられた広告情報を、割付順に従って、各店舗の屋外表示装置に出力表示させる、広告情報出力表示手段と、
を備えることを特徴とする。
【０００８】
請求項１記載のネットワーク型屋外広告表示システムによると、各店舗の情報端末から自店舗の広告情報を自由に作成して、広告情報データベースに登録しておき、広告枠振分手段によって振り分けられた自店舗広告枠に対し、広告情報割付手段によって割付けられた自店舗の広告情報を、情報端末からの又はサポートセンター内サーバーの出力指令情報に基づき、割付順に、自店舗の屋外表示装置に出力表示させることができる。また、各情報端末から自店舗の広告情報を自由に編集して、編集後の広告情報を広告情報データベースに更新登録し、編集後の広告情報を自店舗の屋外表示装置に表示させることができる。
【０００９】
さらに、広告枠振分手段によって振り分けられた他店舗広告枠に対し、自店舗からの広告表示の申込情報および申込受付情報に基づき、広告情報割付手段によって割付けられた自店舗の広告情報を、情報端末からの又はサポートセンター内サーバーの出力指令情報に基づき、割付順に、広告表示の申込先の店舗の屋外表示装置に出力表示させることができる。また、各情報端末から自店舗の広告情報を自由に編集して、編集後の広告情報を広告情報データベースに更新登録し、編集後の広告情報を、上記手段に従って、広告表示の申込先の店舗の屋外表示装置に表示させることができる。
【００１０】
これによって、例えば、商店街のメインストリートに面する店舗に設置された屋外表示装置に対し、サポートセンター内サーバーの、広告枠振分手段により振分けられた自店舗広告枠に従って、同広告枠に割付けられた自店舗の広告情報を出力表示し、また、広告枠振分手段によって振り分けられた他店舗広告枠に対し、例えば、メインストリートから一歩入った路地の奥に位置する店舗からの広告表示の申込情報と、その申込の受付情報に基づき、広告情報割付手段によって割り付けられた当該店舗の広告情報を、出力表示させることができる。これによって、商店街のメインストリートに面する店舗に設置された屋外表示装置を有効活用し、ひいては商店街全体の活性化に寄与することができる。
【００１１】
店舗が管理する情報端末には、店舗内に設置されたパーソナルコンピュータ、店舗外へ持ち運び可能なモバイルコンピュータ、携帯電話などが含まれる。また、通信回線には、専用回線、電話回線、インターネット回線、無線LANなどが含まれる。
【００１２】
本発明の請求項２に係るネットワーク型屋外広告表示システムは、
前記広告情報が、文字情報および画像情報を含み、各店舗の情報端末から送信される文字情報又は画像情報によって、新規又は更新登録されることを特徴とする。
【００１３】
請求項２に係るネットワーク型屋外広告表示システムによると、例えば、各店舗内の端末からあるいは遠隔地から携帯電話を使って、自店舗の広告情報に含まれる文字情報や画像情報を定期的にまたは不定期に編集して更新登録し、自店舗広告枠に従って、自店舗の屋外表示装置に、自店舗の最新の広告情報を表示させることができる。また、他店舗広告枠に従って、広告表示の申込先の店舗の屋外表示装置に、自店舗の最新の広告情報を表示させることができる。
【００１４】
本発明の請求項３に係るネットワーク型屋外広告表示システムは、
前記広告情報が、各店舗により自店舗広告枠用に作成され、当該店舗の情報端末から送信される自店舗枠広告情報と、各店舗により他店舗広告枠用に作成され、当該店舗の情報端末から送信される他店舗枠広告情報とから構成されることを特徴とする。
【００１５】
請求項３に係るネットワーク型屋外広告表示システムによると、広告情報を、自店舗の屋外表示装置に表示させるのに適する自店舗広告枠用の広告情報と、他店舗の屋外表示装置に表示させるのに適する他店舗広告枠用の広告情報のそれぞれに分けることができ、店舗側にとってより一層使い易く便利なシステムとすることができる。他店舗の屋外表示装置に表示させるのに適する広告情報としては、例えば、メインストリートに位置する店舗の屋外表示装置に対し、メインストリートから一歩入った路地の奥に位置する店舗への道案内情報などがある。
【００１６】
本発明の請求項４に係るネットワーク型屋外広告表示システムは、
前記広告情報データベースが、各店舗により自店舗広告枠用に作成され、当該店舗の情報端末から送信された自店舗枠広告情報が登録される、自店舗枠広告情報データベースと、各店舗により他店舗広告枠用に作成され、当該店舗の情報端末から送信された他店舗枠広告情報が登録される、他店舗枠広告情報データベースとから構成されることを特徴とする。
【００１７】
請求項４に係るネットワーク型屋外広告表示システムによると、自店舗の屋外表示装置に表示させるのに適する自店舗枠広告情報と、他店舗の屋外表示装置に表示させるのに適する他店舗枠広告情報とを、それぞれ独立して登録させることができ、使い勝手のよいシステムを構築することができる。
【００１８】
本発明の請求項５に係るネットワーク型屋外広告表示システムは、前記広告情報割付手段が、各他店舗広告枠に対し広告表示の申込のあった他店舗の広告情報を、受付順でかつ放映時間の早い空き枠順に割付けることを特徴とする。
【００１９】
本発明の請求項６に係るネットワーク型屋外広告表示システムは、他店舗広告枠の空き枠に対し任意の店舗の情報端末からの広告表示申込情報を申込順に受付ける、広告表示申込受付手段を備えることを特徴とする。
【００２０】
本発明の請求項７に係るネットワーク型屋外広告表示システムは、
他店舗広告枠の空き枠を各店舗毎に検索する空き枠検索手段を備え、当該空き枠検索手段は、任意の店舗の情報端末からの空き枠検索指令情報に基づき、各店舗又は特定の店舗の他店舗広告枠の空き枠を検索し、検索結果を前記情報端末に送信することを特徴とする。
【００２１】
請求項７に係るネットワーク型屋外広告表示システムによると、各店舗の情報端末から、広告表示を希望する他店舗の屋外表示装置の、他店舗広告枠の空き枠を検索し、空き枠に対する広告表示の申込と申込受付により、同空き枠に自店舗の広告情報を割り付けることができ、各店舗にとってより一層使い易く便利なシステムを実現することができる。
【００２２】
本発明の請求項８に係るネットワーク型屋外広告表示システムは、
前記広告情報割付手段が、制御部からのリセット指令情報に基づき、一定期間経過後、他店舗広告枠の各枠を全て空き枠としてリセットすることを特徴とする。
【００２３】
請求項８に係るネットワーク型屋外広告表示システムによると、一定期間経過後、他店舗広告枠の各枠を全て空き枠としてリセットするから、柔軟性・弾力性に富む他店舗広告枠の運用を図ることができ、各店舗にとってより一層使い易く便利なシステムを実現することができる。
【発明の効果】
【００２４】
以上説明したように、本発明に係るネットワーク型屋外広告表示システムによると、屋外表示装置を設置した各店舗が管理する情報端末から自店舗の広告情報を自由に編集して、自店舗の最新の広告情報を、自店舗の屋外表示装置に、また他店舗広告枠を利用して、広告表示の申込先の店舗の屋外表示装置に、それぞれ表示させることができ、各店舗にとって非常に使い易く便利な屋外広告表示システムを実現することができるという優れた効果を奏する。
【００２５】
また、例えば、商店街のメインストリートに面する店舗に設置された屋外表示装置に対し、自店舗広告枠に従って自店舗の広告情報を表示し、また他店舗広告枠に従って、例えば、メインストリートから一歩入った路地の奥に位置する店舗の広告情報を表示し、これにより、メインストリートの店舗に設置した屋外表示装置を利用した簡便な方法でもって、メインストリートから路地の奥の店舗に人の流れを呼び込むことができるようになり、各店舗に設置した屋外表示装置を有効活用して、商店街全体の活性化を図ることができるという優れた効果を奏する。
【発明を実施するための最良の形態】
【００２６】
以下、本発明の実施の形態を図面を参照して説明する。
【００２７】
図１および図２は、本発明に係るネットワーク型屋外広告表示システムの一実施形態の構成例を示している。図１に示すように、本システムは、商店街の店舗Ａ〜Ｉのそれぞれに設置された屋外小型広告ビジョン（屋外表示装置）１０Ａ〜１０Ｉとサポートセンター内サーバー２０との間が通信回線５０を介して接続されている。また、サポートセンター内サーバー２０と各店舗Ａ〜Ｉが管理する情報端末４０との間が通信回線５１を介して接続されている。
【００２８】
各店舗Ａ〜Ｉとしては、一例として、順に、美容室、花屋、塾、薬局、スポーツ店、飲食店、酒屋、美容室、パン屋が考えられるが、これらの店舗に限られない。
【００２９】
前記サポートセンター内サーバー２０には、図２に示すように、データベースとして、店舗情報データベース２１、自店舗枠広告情報データベース２２、他店舗枠広告情報データベース２３、広告枠振分情報データベース２４、広告情報割付情報データベース２５が設けられている。自店舗枠広告情報データベース２２および他店舗枠広告情報データベース２３は、広告情報データベースを構成する。また、同サーバー２０には、データの送受信、処理、制御を行なうユニットとして、送受信部２６、編集処理部２７、制御部２８、広告枠振分手段２９、広告情報割付手段３０、空き枠検索手段３１、広告表示申込受付手段３２、広告情報出力表示手段３３が設けられ、さらにインターネットを介して外部からアクセス可能なサイト部３４が設けられている。
【００３０】
店舗情報データベース２１は、各店舗Ａ〜Ｉに関する店舗情報が登録されるデータベースであり、各店舗情報には、店舗名、店舗No、店舗種別、店舗所在地、連絡先、ビジョンNo、サイト部にアクセスするためのＧｒ−ＩＰアドレス番号、パスワード、その他の個別情報が含まれる。その他の個別情報には、例えば、屋外小型広告ビジョンの設置場所情報が含まれる。図３に店舗情報データベース２１の例を示す。
【００３１】
自店舗枠広告情報データベース２２は、各店舗Ａ〜Ｉにより自店舗広告枠用に作成され、各店舗Ａ〜Ｉの情報端末４０から送信された自店舗枠広告情報が店舗Ａ〜Ｉ毎に登録されるデータベースである。図４にその例を示す。当該データベースには、店舗名、店舗No、ファイルＮｏ、広告Ｎｏ、複数（図示例では４つ）の自店舗枠広告情報（文字情報、画像情報）が含まれる。複数の自店舗枠広告情報は、ファイルＮｏ毎に、１組のファイルとして管理される。各自店舗枠広告情報は、文字情報と画像情報とから構成される。文字情報には、店舗で取り扱われる商品・サービスに関する情報、トピックス情報、プレゼント情報、人材募集情報、問合せ先情報、店舗の駐車場情報の他、地方の天気予報・時刻・ニュースなどの情報が含まれる。画像情報には、店舗の外観および店内の風景、店内スタッフの写真、店舗で取り扱われる商品・サービスの外観、店舗および駐車場の地図などが含まれる。
【００３２】
他店舗枠広告情報データベース２３は、各店舗Ａ〜Ｉにより他店舗広告枠用に作成され、各店舗Ａ〜Ｉの情報端末４０から送信された他店舗枠広告情報が店舗Ａ〜Ｉ毎に登録されるデータベースである。図５にその例を示す。当該データベースには、上記と同じく、店舗名、店舗No、ファイルＮｏ、広告Ｎｏ、複数（図示例では４種類）の他店舗枠広告情報（文字情報、画像情報）が含まれる。複数の他店舗枠広告情報は、ファイルＮｏ毎に、１組のファイルとして管理される。各他店舗枠広告情報は、文字情報と画像情報とから構成される。文字情報には、上記と同じく、店舗で取り扱われる商品・サービスに関する情報、トピックス情報、プレゼント情報、人材募集情報、問合せ先情報、店舗の駐車場情報の他、店舗までの道案内情報などが含まれる。画像情報には、上記と同じく、店舗の外観および店内の風景、店内スタッフの写真、店舗で取り扱われる商品・サービスの外観、店舗および駐車場の地図の他、店舗までの道案内の地図情報などが含まれる。
【００３３】
広告枠振分情報データベース２４は、後述する広告枠振分手段２９によって、店舗Ａ〜Ｉの各屋外表示装置１０Ａ〜１０Ｉに表示させる広告枠が、各店舗の屋外表示装置毎に自店舗広告枠と他店舗広告枠に振り分けられた情報が登録されるデータベースであり、図６にその例を示す。図６の例では、広告枠の基本最大指数（１クール）を１０枠と設定し、最初の１〜８番目の８枠が自店舗広告枠（符号Ｊ）に、残る９〜１０番目の２枠が他店舗広告枠（符号Ｔ）に振り分けられる。
【００３４】
広告情報割付情報データベース２５は、前記広告枠振分手段２９によって振り分けられた自店舗広告枠と他店舗広告枠に対し、後述する広告情報割付手段３０によって、自店舗枠には各店舗の自店舗枠広告情報が、他店舗広告枠には広告表示の申込を受付けた他店舗の他店舗枠広告情報が、割付けられて、登録されるデータベースであり、図７にその例を示す。図７の例では、最初の１〜８番目の８枠（自店舗広告枠）に自店舗枠広告情報がそれぞれ割付けられ、最後の２枠（他店舗広告枠）のうち、９番目の枠に、広告表示の申込を受付けた店舗の他店舗枠広告情報が割付けられている。１０番目の枠は、広告表示の申込みが未だない空き枠となっている。
【００３５】
前記送受信部２６は、各店舗Ａ〜Ｉに設置された各屋外小型表示ビジョン１０Ａ〜１０Ｉとサポートセンター用サーバー２０との間、各店舗Ａ〜Ｉが管理する情報端末４０とサポートセンター用サーバー２０との間で、各種情報の送受信を行う。
【００３６】
前記編集処理部２７は、各店舗Ａ〜Ｉの情報端末４０からの店舗情報、自店舗枠広告情報、他店舗枠広告情報、広告枠振分情報、広告情報割付情報、それらの更新情報の編集処理を行い、編集処理された各情報は、店舗情報データベース２１、自店舗枠広告情報データベース２２、他店舗枠広告情報データベース２３、広告枠振分情報データベース２４、広告情報割付情報データベース２５にそれぞれ新規または更新登録され、保存される。
【００３７】
前記制御部２８は、本サーバー２０のシステム全体に関して、店舗情報データベース２１、自店舗枠広告情報データベース２２、他店舗枠広告情報データベース２３、広告枠振分情報データベース２４、広告情報割付情報データベース２５、送受信部２６、編集処理部２７、後述する広告枠振分手段２９、広告情報割付手段３０、空き枠検索手段３１、広告表示申込受付手段３２、広告情報出力表示手段３３、サイト部３４のそれぞれを統合的に制御する。
【００３８】
広告枠振分手段２９は、各店舗Ａ〜Ｉの屋外小型広告ビジョン１０Ａ〜１０Ｉに表示させる広告枠を、各店舗の屋外小型広告ビジョン１０Ａ〜１０Ｉ毎に、自店舗広告枠と他店舗広告枠に振り分ける処理を行なう。例えば、図６を例にすると、広告枠の基本最大指数（１クール）を１０枠に設定し、最初の１〜８番目の８枠を自店舗広告枠（符号Ｊ）に、残りの９〜１０番目の２枠を他店舗広告枠（符号Ｔ）に振り分ける。
【００３９】
これにより、各店舗は、自店舗の屋外小型広告ビジョンについて、８０％の自店舗広告枠（Ｊ）を確保して自店舗広告情報を表示させることができ、その一方で、他店舗の屋外小型広告ビジョンに対し、２０％の他店舗広告枠（Ｔ）を利用して、広告表示の申込みを行ない、当該他店舗の屋外小型ビジョンに自店舗広告情報を表示させることができる。なお、自店舗広告枠と他店舗広告枠の割合は任意に設定可能である。
【００４０】
広告情報割付手段３０は、広告枠振分手段２９によって振り分けられた自店舗広告枠（Ｊ）と他店舗広告枠（Ｔ）に対し、各店舗Ａ〜Ｉの自店舗広告枠（Ｊ）には、各店舗Ａ〜Ｉの自店舗枠広告情報をそれぞれ割り付け処理すると共に、各店舗Ａ〜Ｉの他店舗広告枠（Ｔ）には、広告表示を希望する店舗からの申込情報の受付順でかつ放映時間の早い空き枠順に、申込を受け付けた店舗の他店舗枠広告情報をそれぞれ割り付け処理する。例えば、図７を例にすると、図６の広告枠振分情報データベース２４において、１０枠のうち、自店舗広告枠（Ｊ）として振り分けられた最初の８枠に対し、自店舗枠広告情報をファイル毎割り付け、他店舗広告枠（Ｔ）として振り分けられた残りの２枠に対し、広告表示を希望する店舗の情報端末４０からの申込情報の受付順でかつ放映時間の早い空き枠順に、申込を受付けた店舗の他店舗枠広告情報を割り付ける。例えば、申込を最初に受付けた店舗の他店舗枠広告情報をファイル毎９番目の枠に、２番目に申込を受付けた店舗の他店舗枠広告情報を１０番目の枠に、自動的に割付ける。
【００４１】
また、広告情報割付手段３０は、後述するように、制御部２８からのリセット指令情報に基づき、一定期間経過後、他店舗広告枠（Ｔ）の各枠を、広告情報の割付の有無にかかわらず、全て空き枠としてリセットする。
【００４２】
空き枠検索手段３１は、各店舗A〜Iの各屋外小型広告ビジョン１０A〜１０Iの各他店舗広告枠（Ｔ）に対し、任意の店舗の情報端末４０からの空き枠検索指令情報に基づき、空き枠の検索処理を行なう。空き枠の検索結果は、入出力部２６から情報端末４０に対し送信される。
【００４３】
広告表示申込受付手段３２は、店舗A〜Iの屋外小型広告ビジョン１０A〜１０Iの各他店舗広告枠（Ｔ）の空き枠に対し、任意の店舗の情報端末４０からの広告表示申込情報を、申込順に受け付けるもので、この広告表示申込受付手段３２からの申込受付情報に基づき、前述した広告情報割付手段３０が、各店舗広告枠（Ｔ）の空き枠に、申込みを受付けた店舗の他店舗枠広告情報を順次割付けることになる。
【００４４】
広告情報出力表示手段３３は、広告情報割付手段３０によって店舗Ａ〜Ｉの各自店舗広告枠（Ｊ）に割り付けられた自店舗枠広告情報を、制御部２６からの出力表示指令情報に基づき、自店舗広告枠の割付順に従って、各店舗Ａ〜Ｉの屋外小型広告ビジョン１０Ａ〜１０Ｉに直ちに配信し、出力表示させるとともに、広告情報割付手段３０によって店舗Ａ〜Ｉの各他店舗広告枠（Ｔ）に割付けられた他店舗枠広告情報を、制御部２６からの出力表示指令情報に基づき、他店舗広告枠の割付順に従って、各店舗の屋外小型広告ビジョン１０Ａ〜１０Ｉに直ちに配信し、出力表示させるべく機能する。
【００４５】
また、上記広告情報出力表示手段３３は、広告情報割付手段３０によって店舗Ａ〜Ｉの各自店舗広告枠（Ｊ）に割り付けられた自店舗枠広告情報を、店舗Ａ〜Ｉの情報端末４０からの出力表示指令情報に基づき、自店舗広告枠の割付順に従って、店舗Ａ〜Ｉの屋外小型広告ビジョン１０Ａ〜１０Ｉに配信し、出力表示させるとともに、広告情報割付手段３０によって店舗Ａ〜Ｉの各他店舗広告枠（Ｔ）に割付けられた他店舗枠広告情報を、店舗Ａ〜Ｉの情報端末４０からの出力表示指令情報に基づき、他店舗広告枠の割付順に従って、店舗の屋外小型広告ビジョン１０Ａ〜１０Ｉに配信し、出力表示させるべく機能する。
【００４６】
サイト部３４は、インターネットあるいは無線通信を介して、各店舗Ａ〜Ｉの情報端末４０からアクセス可能であり、各店舗Ａ〜Ｉに割り当てられたＧｒ−ＩＰアドレス番号および各自登録されたパスワードによって、サイト部３４にログインし、各店舗Ａ〜Ｉの情報端末４０の画面にサイト部３４の画面を呼び出して、自店舗の店舗情報、自店舗枠広告情報、他店舗枠広告情報の編集および送信、それらの情報の新規または更新登録、他店舗広告枠の空き枠の検索実行、他店舗広告枠の申込情報の編集、送信、登録等が可能である。
【００４７】
次に、本システムを用いた、屋外広告の表示方法について、以下に説明する。
【００４８】
サポートセンター内サーバー２０の自店舗枠広告情報データベース２２には、図４に示すように、店舗Ａ〜Ｉ毎に、４種類の自店舗枠広告情報（文字情報、画像情報）が、ファイルＮｏ、広告Ｎｏと共に登録され、他店舗枠広告情報データベース２３には、図５に示すように、店舗Ａ〜Ｉ毎に、４種類の他店舗枠広告情報（文字情報、画像情報）が、ファイルＮｏ、広告Ｎｏと共に登録されている。また、広告枠振分情報データベース２４には、図６に示すように、店舗Ａ〜Ｉの広告枠（基本最大指数１０枠）のうち、１〜８番目の８枠に自店舗広告枠（Ｊ）が、９〜１０番目の２枠に他店舗広告枠（Ｔ）が振り分けられている。広告情報割付情報データベース２５には、図７に示すように、各自店舗枠広告（Ｊ）に４種類の自店舗枠広告情報が１組として割付けられ、各他店舗枠広告（Ｔ）には広告表示の申込を受付けた店舗の４種類の他店舗枠広告情報が同じく１組として割付けられている。
【００４９】
店舗Ａ〜Ｉの屋外小型広告ビジョン１０Ａ〜１０Ｉには、予めプログラミングされた制御部２８からの出力表示指令情報に基づき、広告情報出力表示手段３３によって、図７に示す広告枠の順に、各広告情報が順次配信され、出力表示される。すなわち、店舗Ａを例にすると、１〜８番目の各枠（各１５秒）の中で、４種類の自店舗枠広告情報（ＡＪ−００１〜ＡＪ−００４、各約３．５秒ずつ）が順送りで放映され、９番目の枠（１５秒）の中で、今度は広告表示の申込を受付けた店舗Ｂの他店舗枠広告情報（ＢＴ−００１〜ＢＴ−００４、各約３．５秒ずつ）が順送りで放映される。１０番目の枠は、空き枠なので、放映が飛ばされる。そして、１０枠を基本最大指数（１クール）として、一定期間（例えば１月間）繰り返し放映される。
【００５０】
当該期間中に、店舗Ａ〜Ｉの屋外小型広告ビジョン１０Ａ〜１０Ｉの他店舗広告枠（Ｊ）の空き枠に対し、任意の店舗の情報端末４０から広告表示の申込情報を、サーバー２０の送受信部２６が受信し、広告表示申込受付手段３２が当該申込情報を受付けると、広告情報割付手段３０が、申込を受付けた店舗の他店舗枠広告情報を、申込情報の受付順でかつ放映時間の早い空き枠順に自動的に割付ける。例えば、上の例で、１０番目の枠が空き枠なので、１０番目の枠に申込を受付けた店舗の他店舗枠広告情報を割付け、その後、受付順に、２クール目の１９番目、２０番目の空き枠に、３クール目は２９番目、３０番目の空き枠にと、放映時間の早い空き枠順に割付ける。一定期間が終了すると、制御部２８からのリセット指令情報に基づき、広告情報割付け手段３０により、他店舗広告枠の各枠は全て空き枠にリセットされ、再び、申込情報の受付順に、他店舗枠広告情報を割付けていく。なお、他店舗広告枠（２枠）への申込に際しては、広告表示申込受付手段３２が１店舗毎に各クール当り１枠のみ申込み可能に設定することができる。
【００５１】
次に、店舗（美容室）Ａのオーナーが、携帯電話４０からサポートセンター内サーバー２０のサイト部３３にアクセスし、自店舗枠広告情報を編集し、編集後の広告情報を自店舗の屋外小型広告ビジョン１０Ａに表示させる手順について、図８および図１０に示す携帯電話の表示画面の流れを参照して説明する。
【００５２】
まず、店舗Ａのオーナーの携帯電話４０の画面上で、検索サイトからサーバー２０のサイト部（「Ａｖｉｒｏ−Ｓ」）３４にアクセスし（図８（Ａ））、次いで、店舗Ａに割り当てられたＧｒ−ＩＰアドレスおよび登録したパスワードを入力し、ログインする（同図（Ｂ））。すると、携帯電話４０からサーバー２０に送信されたＧｒ−ＩＰアドレス情報およびパスワード情報がサーバー２０の送受信部２６によって受信され、制御部２８によってＧｒ−ＩＰアドレスおよびパスワードが照合される。照合の結果、店舗情報データベース２１に登録された店舗ＡのＧｒ−ＩＰアドレスおよびパスワードと一致すると、店舗Ａ用の画面が送受信部２６から携帯電話４０に送信され、携帯電話４０の画面に店舗Ａ用のトップ画面が表示される（同図（Ｃ））。
【００５３】
トップ画面には、「自店舗広告内容の編集」、「自店舗広告内容の管理」、「他店舗広告の空き枠検索」の各項目が表示されている。「自店舗広告内容の編集」を選択すると、自店舗枠広告情報を呼び出して編集することができる。「自店舗広告内容の管理」を選択すると、自店舗の屋外小型広告ビジョンの広告状況（自店舗枠状況、他店舗枠状況）を呼び出して管理することができる。「他店舗広告の空き枠検索」を選択すると、住所、業種、フリーワードの各項目で他店舗広告枠の空き枠を検索することができる。                                                        
【００５４】
「自店舗広告内容の編集」を選択し、クリックすると、「編集項目の選択」画面に移行する（同図（Ｄ）。「編集項目の選択」画面には、「画像の編集」、「文字の編集」の各項目が表示され、「文字の編集」を選択し、クリックすると、「文字編集」画面に移行する（同図（Ｅ））。「文字編集」画面には、「選択して個別編集」、「全て編集」の各項目が表示され、「選択して個別編集」を選択し、クリックすると、「文字編集」画面に移行する（同図（Ｆ））。「文字編集」画面には、１〜４の４種類の「文字列編集」の各項目が表示され、１番目の「文字列編集」を選択し、クリックすると、最初に流れる文字列情報（ＡＪ−Ｍ００１）の入力画面に移行する（９図（Ａ））。新しい文字列を入力し、入力ボタンをクリックすると、入力内容の確認画面に移行する（同図（Ｂ））。入力内容を確認し、「次へ」を選択し、クリックすると、「画像編集」画面に移行する（同図（Ｃ））。
【００５５】
「画像編集」画面には、「選択して個別編集」、「全て編集」の各項目が表示され、「選択して個別編集」を選択し、クリックすると、「画像編集」画面に移行する（同図（Ｄ））。「画像編集」画面には、１〜４の４種類の「画像編集」の各項目が表示され、１番目の「画像編集」を選択し、クリックすると、最初に流れる画像情報（ＡＪ−Ｇ００１）の編集用の画面、すなわち、新規メールの作成画面に切り替わる（同図（Ｅ））。新規メールの作成画面上で、新規メールを作成し、「添付」ボタンをクリックして携帯電話４０内に保存されていた新画像データを添付する。「送信」ボタンをクリックすると、新画像を添付したメールが、サーバー２０へ送信されると共に、画像編集の確認画面に移行する（同図（Ｆ））。
【００５６】
画像編集内容の確認後、「上書き」を選択し、クリックすると、編集内容の最終確認画面に移行する（１０図（Ａ））。編集内容の最終確認後、「送信」を選択し、クリックすると、編集内容（編集後の広告情報）がサーバー２０に送信されると共に、送信完了画面に切り替わる（同図（Ｂ））。送信完了画面上で「ＴＯＰへ」を選択し、クリックすると、最初のＴＯＰ画面に戻る（同図（Ｃ））。  
【００５７】
店舗Ａの携帯電話４０からサーバー２０に送信された広告情報（ＡＪ−００１）は、編集処理部２７によって自店舗枠広告情報データベース２２に対し、店舗Ｂの１番目の自店舗枠広告情報（ＡＪ−００１）として更新登録されると共に、広告情報出力表示手段３３によって、予め割付けられた自店舗広告枠に従って、店舗Ａの屋外小型広告ビジョン１０Ａに配信され、表示される。
【００５８】
図１１に店舗Ａの屋外小型広告ビジョン１０Ａの表示例を示す。図１１に示すように、店舗Ｂの自店舗広告枠（Ｊ）の８枠の中で、店舗Ａの屋外小型広告ビジョン１０Ａに編集後の広告情報（ＡＪ−００１〜ＡＪ−００４）が順次繰り返し流れる。
【００５９】
次に、店舗（花屋）Ｂのオーナーが、携帯電話４０からサーバー２０内のサイト部３４にアクセスし、店舗（美容室）Ａの他店舗広告枠の空き枠を検索し、空き枠に対し自店舗Ｂの広告表示の申込みを行ない、自店舗Ｂの広告情報を、店舗（美容室）Ａの屋外小型広告ビジョン１０Ａに表示させる手順を、図１２および図１３を参照して、説明する。
【００６０】
まず、店舗Ｂのオーナーの携帯電話４０の画面上で、検索サイトからサポートセンター内サーバー２０のサイト部（「Ａｖｉｒｏ−Ｓ」）３４にアクセスし（図１２（Ａ））、次いで、店舗ＢのＧｒ−ＩＰアドレスおよび登録したパスワードを入力し、ログインする（同図（Ｂ））。サーバー２０に送信されたＧｒ−ＩＰアドレス情報およびパスワード情報が送受信部２６によって受信され、Ｇｒ−ＩＰアドレスおよびパスワードが照合される。照合の結果、店舗情報データベース２１に登録された店舗ＢのＧｒ−ＩＰアドレスおよびパスワードと一致すると、トップ画面が送受信部２６から携帯電話４０に送信され、携帯電話４０の画面に表示される（同図（Ｃ））。
【００６１】
携帯電話４０のトップ画面上で、「他店舗広告の空き枠検索」を選択し、クリックすると、「検索項目の選択」画面に移行する（同図（Ｄ））。「検索項目の選択」画面には、「住所より検索」、「業種より検索」、「フリーワードでの検索」の各項目が表示される。「業種より検索」を選択し、クリックすると、「店舗検索」画面に移行する（同図（Ｅ））。「店舗検索」画面には、「花屋」、「美容室」「薬局」「定食屋」「カラオケ店」の各項目一覧が表示されている。「美容室」を選択し、クリックすると、「美容室検索」画面に移行する（同図（Ｆ））。「美容室検索」画面には、複数の美容室の店舗一覧（４店舗）が表示される。
【００６２】
放映を希望する店舗（店舗Ａ）を選択し、クリックすると、店舗Ａの他店舗広告枠に対する空き枠検索指令情報がサーバー２０に送信され、受信した空き枠検索指令情報に基づき、空き枠検索手段３１により店舗Ａの他店舗広告枠の空き枠が検索される。そして、同空き枠の検索結果が、入出力部２６から携帯電話４０に対し送信され、店舗Ａの他店舗広告枠の空き枠状況が画面表示される（図１３（Ａ））。図示例の画面によると、店舗Ａの他店舗広告枠には現在１店舗の広告情報が割付けられ、放映されている。店舗Ｂが店舗Ａでの放映を希望する場合、現在放映中の店舗の直後に放映されることになる。
【００６３】
店舗Ｂが店舗Ａでの放映を希望し、「はい」を選択し、クリックすると、店舗Ｂの情報端末４０から広告表示申込情報がサーバー２０に送信され、サーバー２０の広告表示申込受付手段３３が店舗Ｂの広告表示申込情報を受付ける一方、「放映データ選択」画面に移行する（同図（Ｂ））。「放映データ選択」画面には、「自店舗データ」、「他店舗データ」の各項目が表示される。「自店舗データ」は自店舗枠広告情報データベース２２に登録された自店舗枠広告情報を指し、「他店舗データ」は他店舗枠広告情報データベース２３に登録された他店舗枠広告情報を指す。
【００６４】
ここで、「他店舗データ」を選択し、クリックすると、「放映データ選択」画面に移行する（同図（Ｃ））。「放映データ選択」画面には、「引用する」、「編集する」の各項目が表示される。「引用する」を選択すると、現在放映中の他店舗データがそのまま引用される。「編集する」を選択すると、他店舗データを新たに編集することができる。ここで、「編集する」を選択し、クリックすると、図８（Ｄ）に示す「編集項目の選択」画面と同一画面が表示され、図８（Ｅ）から図１０（Ａ）に示す画面および手順と同一の画面および手順に従って、「他店舗データ」の広告情報を編集することができる（図１３（Ｄ））。
【００６５】
図１０（Ａ）に示す画面と同一の画面上で、「送信」を選択し、クリックすると、編集後の「他店舗データ」の広告情報がサーバー２０に送信され、次いで、編集処理部２７によって他店舗枠広告情報データベース２３に店舗Ｂの他店舗枠広告情報として更新登録され、広告情報割付手段３０によって店舗Ａの他店舗広告枠の空き枠に当該広告情報が割付けられる。携帯電話４０の画面は、登録完了画面に切り替わり（図１３（Ｅ））、「完了」ボタンをクリックし、終了する。
【００６６】
店舗（美容室）Ａの屋外小型広告ビジョン１０Ａには、広告情報出力表示手段３３によって、割付順に従って、１枠目から８枠目まで店舗Ａの自店舗枠広告情報が、９枠目に別の他店舗の広告情報が、１０枠目に現在編集した店舗（花屋）Ｂの広告情報（同図（Ｆ））が、それぞれ配信され、表示される。
【００６７】
かくして、本発明のネットワーク型屋外広告表示システムによれば、各店舗のオーナーが、各自の携帯電話４０の画面上で、自店舗の広告情報を自由に編集し、自店舗広告枠を用いて自店舗の屋外小型広告ビジョンに自店舗の広告情報を放映させることができ、また、他店舗広告枠を用いて広告表示を希望する先の店舗の屋外小型広告ビジョンに自店舗の広告情報を放映させることができるようになり、各店舗のオーナーにとって使い勝手がよく非常に便利な屋外広告表示システムを実現することができる。また、各店舗に設置された屋外小型広告ビジョンを自店舗広告枠と他店舗広告枠に振り分けて、有効活用することができ、商店街の活性化を図ることができるようになる。
【産業上の利用可能性】
【００６８】
本発明は、複数の各店舗に設置された屋外表示装置と、サポートセンター内サーバーと、各店舗が管理する情報端末とをそれぞれ通信回線を介して接続し、各情報端末から自店舗の広告情報を自由に編集して、屋外表示装置に表示させることのできるネットワーク型屋外広告表示システムとして、また、各店舗に設置された屋外表示装置を有効活用することのできるネットワーク型屋外広告表示システムとして、利用可能である。
【図面の簡単な説明】
【００６９】
【図１】本システムの全体概略を示す図、
【図２】本システムのより詳細な構成例を示す図、
【図３】サポートセンター内サーバーの店舗情報データベースの構成例を示す図、
【図４】同サーバーの自店舗枠広告情報データベースの構成例を示す図、
【図５】同サーバーの他店舗枠広告情報データベースの構成例を示す図、
【図６】同サーバーの広告枠振分情報データベースの構成例を示す図、
【図７】同サーバーの広告情報割付情報データベースの構成例を示す図、
【図８】（Ａ）〜（Ｆ）は店舗Ａのオーナーが携帯電話の画面上で自店舗枠の広告情報を編集する手順の一部を示す図、
【図９】（Ａ）〜（Ｆ）は同手順の一部を示す図、
【図１０】（Ａ）〜（Ｃ）は同手順の残りを示す図、
【図１１】編集後の広告情報を店舗Ａの屋外小型広告ビジョンに表示させる例を示す図、
【図１２】（Ａ）〜（Ｆ）は店舗Ｂのオーナーが携帯電話の画面上で店舗Ａの他店舗広告枠の空き枠を検索し、他店舗枠用の広告情報を編集する手順の一部を示す図、
【図１３】（Ａ）〜（Ｆ）は同手順の残りと、編集後の広告情報を店舗Ａの屋外小型広告ビジョンに表示させる例を示す図である。
【符号の説明】
【００７０】
１０Ａ〜１０Ｉ  屋外小型広告ビジョン（屋外表示装置）
２０  サポートセンター内サーバー
２１  店舗情報データベース
２２  自店舗枠広告情報データベース
２３  他店舗枠広告情報データベース
２４  広告枠振分情報データベース
２５  広告情報割付情報データベース
２６  送受信部
２７  編集処理部
２８  制御部
２９  広告枠振分手段
３０  広告情報割付手段
３１  空き枠検索手段
３２  広告表示申込受付手段
３３  広告情報出力表示手段
３４  サイト部
４０  携帯電話（情報端末）
５０，５１  通信回線
Ａ〜Ｉ  店舗
【図１】
2009271453.tif 000003
【図２】
2009271453.tif 000004
【図３】
2009271453.tif 000005
【図４】
2009271453.tif 000006
【図５】
2009271453.tif 000007
【図６】
2009271453.tif 000008
【図７】
2009271453.tif 000009
【図８】
2009271453.tif 000010
【図９】
2009271453.tif 000011
【図１０】
2009271453.tif 000012
【図１１】
2009271453.tif 000013
【図１２】
2009271453.tif 000014
【図１３】
2009271453.tif 000015